(57)【要約】【課題】  接続信頼性を維持できるとともに小型多極化が実現可能な平型回路部材用コネクタと、このコネクタとの接続において接続特性を向上させることが可能な平型回路部材とを提供する。【解決手段】  平型回路部材４を収容せしめるように上方へ開口する収容部１１を備えたハウジング１０を有し、ハウジングには複数の接触子２が二片の先端側を互いに向き合わせるような向きで収容部の左右方向に分かれて配列され、ハウジングにおける接触子の左右の配列部位は収容部で一体的に連結されており、さらに二片の先端側の間に介入し得る介入部３１を備えた加圧部材３を接触子のそれぞれの配列群に対応して一対有し、前記収容状態において、弾性接触片の先端側２４の上方に導体露出部４２が位置付けられており、前記収容状態でかつ前記介入した状態において、介入部が支持片の先端側により付勢されるとともに平型回路部材の側部４１が介入部と弾性接触片の先端側との間で挟持されるように構成する。【選択図】  図１
2009193807.tif 000002
【特許請求の範囲】
【請求項１】
左右両側部に導体露出部が所定のピッチで配設された平型回路部材を電気的に接続するコネクタであって、
前記平型回路部材を少なくとも部分的に収容せしめるように上方へ開口する収容部を備えたハウジングを有し、そのハウジングには弾性接触片とその弾性接触片に対して上方に位置する支持片とこの二片の基端を一体に繋げる基端部とを備えた複数の接触子が前記収容部の左右方向に分かれて前記二片の先端側を互いに向き合わせるような向きでかつ前記所定のピッチに対応するピッチで配列され、前記ハウジングにおける前記接触子の左右の配列部位は前記収容部で一体的に連結されており、さらに前記支持片の先端側と前記弾性接触片の先端側との間に介入し得る介入部を備えた加圧部材を前記接触子のそれぞれの配列群に対応して一対有し、
前記収容状態において、前記弾性接触片の先端側の上方に前記導体露出部が位置付けられており、
前記収容状態でかつ前記介入した状態において、前記介入部が前記支持片の先端側により付勢されるとともに前記平型回路部材の側部が前記介入部と前記弾性接触片の先端側との間で挟持されることを特徴とする平型回路部材用コネクタ。
【請求項２】
前記弾性接触片の先端側は上方に突出する突状の接触部を備え、前記加圧部材は前記介入部より延長する板状の操作部を備えるとともにその操作部が前記収容部の底面に接近した所定位置とその所定位置から離反した開放位置との間を移動せしめるよう前記ハウジングに保持されており、さらに前記介入部は前記操作部が前記所定位置に向け移動する過程で前記収容状態にある前記平型回路部材の側部を前記接触部に対して押圧せしめる加圧部を備え、
その加圧部には前記操作部が前記所定位置にある状態で下方を突出方向とする突状部が形成され、その下縁は前記操作部が前記所定位置にあるとき前記接触部から前記基端部方向に離れて位置しているとともに前記接触部の上縁より下位に位置せしめることを特徴とする請求項１に記載の平型回路部材用コネクタ。
【請求項３】
前記収容部には、上方より収容される前記平型回路部材の水平方向の移動を規制する係止部が形成されていることを特徴とする請求項１もしくは２に記載の平型回路部材用コネクタ。
【請求項４】
請求項１〜３のいずれかに記載の平型回路部材用コネクタに接続される平型回路部材であって、
左右両側部に導体露出部が所定のピッチで配設され、前記左右両側部の間を繋ぐ部位にその両側部と比較して剛性の高い領域が形成されていることを特徴とする平型回路部材。
【請求項５】
請求項１〜３のいずれかに記載の平型回路部材用コネクタに接続される平型回路部材であって、
片面側に前記導体露出部を含む第一の回路層が形成され、その背面側に第二の回路層が形成されており、その第二の回路層が選択的に前記導体露出部と導通していることを特徴とする平型回路部材。
【発明の詳細な説明】
【技術分野】
【０００１】
本発明は、平型導体が印刷配線されているフレキシブル基板（以下ＦＰＣと称す。）や極薄ＩＣチップを内蔵した多層配線板などの平型回路部材を電気的に接続し得る平型回路部材用コネクタおよびこれに接続される平型回路部材に関するものである。
【背景技術】
【０００２】
従来、この種のコネクタの中でＦＰＣ用として多用されるものとして、ＦＰＣの挿入時にはコンタクトからの接触圧を受けずに低い挿入力で挿入でき、ＦＰＣの挿入後には所定の接触圧でコンタクトと接触して安定した電気的接続が得られるゼロ・インサーション・フォース（以下ＺＩＦと称す。）構造のものが知られている（例えば特許文献１参照。以下これを公知例Ａと称す）。
【０００３】
この公知例Ａによれば、ＦＰＣを接続（結線）する接触子は略Ｕ字状に対向する二片の一方の片に弾性接触部を他方の片に回動支持部を有しており、回動支持部により回動自在に支持される加圧部材を所定の回動させたときに加圧部材の加圧部がＦＰＣを上面側から押圧（加圧）し、また、加圧部材は容易には開かずに、ＦＰＣと接触子の接続を維持するとされている。
【０００４】
また、次のＺＩＦ構造のものも知られている（例えば特許文献２参照。以下これを公知例Ｂと称す）。
【０００５】
この公知例Ｂによれば、ＦＰＣの両側にそれぞれ導体露出部（接続部群）を形成し、その導体露出部をコネクタの両側に位置させて一対設ける一方、コネクタには、これらの対をなす導体露出部にそれぞれ導通させるべき対をなす接触子（コンタクト群）を設けており、また、コネクタには、接触子と導体露出部との間に接触圧力を発生させるため、一対の接触子の上に開閉可能でＦＰＣの導体露出部を接触子に押圧する一対の固定レバーを設けている。これらの構成により導体露出部の数を増やすことができ小型化を図ることができるとされている。
【特許文献１】特開平７−１４２１３０号  公報
【特許文献２】特開平７−６５９１４号  公報
【発明の開示】
【発明が解決しようとする課題】
【０００６】
ところで、小型化高機能化が進む電子機器においては、その内部の配線部材として多用されるＦＰＣなどの平型回路部材とその接続用コネクタとの接続構造においても、接続の信頼性を維持しつつ、小型化、多極化および接続操作性や接続特性の向上化が図れる形態であることが望ましい。
【０００７】
しかし、公知例Ａのごとくの従来例においては、ＦＰＣの先端部をハウジングの奥部に（支持部に届くまで横方向から）挿入することを前提としているが、挿入の自動化が困難な挿入方式であり、その挿入完了の感知も（奥部が目視できないため）困難であり、挿入が浅い場合に不完全な接続となる可能性がある。また、仮に接触子を左右に対向する向きで配列させた場合、この構成で、左右両側部に導体露出部が配設される平型回路部材を左右両方向の（２支点の一方の支点となる）奥部支持部まで（左右ともに）挿入することは（相反する方向への挿入となり）実質的に不可能である。また、所定位置まで回動したときのＦＰＣの下（他方の）面は、接触子先端の突状の接触部とハウジング奥部の支持部の二支点により支えられ、一方、ＦＰＣの上（一方の）面は、接触部の真上から奥側に渡る箇所で（ＦＰＣが大きく撓む状態で）加圧部材の下面（移行部を構成する二つの隣接平坦面のうちの一つの面）に接し押圧（加圧）力を受けているが、この形態では、ＦＰＣの下面と接触部との当接部の接触面積は（ＦＰＣの下面がほぼ平面状であるため点接触に近い）小さなものとなっている。このため、ＦＰＣ下面の（電気的接続用に配される）導体露出部に接触部が過度に（小さな面積に加圧力が集中して）食い込み、導体露出部を損傷させ、接続の信頼性を悪化させることがある。
【０００８】
また、この従来例のハウジングは、長手方向の複数位置に等ピッチで接触子を１列に配列させ、接触子には回路基板に半田付け（半田結線）せしめるよう平坦に並ぶテール部（接続部）が備わっている。そして、このような形態で多極化ニーズに対応する場合は、ハウジングを長手方向に延長させ接触子の配列数を増大させることが一般的である。しかし、小型化（低背化）ニーズにも適合させる場合には、ハウジングの高さ（厚さ）に制限が有り、この制限の中でハウジングを延長させた場合、ハウジングの（樹脂成形時の収縮や半田付け時の熱影響などによる）反りや捻れの度合いが増大し、回路基板上の半田付け面に対するテール部の高さ精度（平坦度）を悪化させ、ひいては半田付け不良を発生させることがある。
【０００９】
さらに、公知例Ｂのごとくの従来例において、略コ状の加圧部材（固定レバー）は、ハウジング（絶縁ブロック）の両側部に突出形成された軸を支点にし、その支点間の加圧部（押圧部）がＦＰＣの上面を加圧（押圧）する形態としているが、支点間の中間部分である加圧部は、下方からの力（加圧力に対する反力）を受けると、上方に撓みを生じて浮き上がる傾向にある構造であり、接触子（特に中央部分に配列された接触子）の接触圧力が低下し、接続不良を発生させることがある。これは、接触子の数が多いものほど（支点間の距離が大きくなるため撓みがさらに増大し）大きな問題となり、導体露出部の数を増やしても小型化を可能とするこの従来例の目的が（多極化による反力の増大に抗するため加圧部材を肥大化させる必要が生じ）達成できないこととなる。
【００１０】
よって、本発明の目的とするところは、上述のごとき従来技術の有する問題点を解決するものであって、接続信頼性を維持できるとともに小型多極化が実現可能な平型回路部材用コネクタと、このコネクタとの接続において接続特性を向上させることが可能な平型回路部材とを提供することにある。
【課題を解決するための手段】
【００１１】
上記目的を達成するために、請求項１に記載の平型回路部材用コネクタは、左右両側部に導体露出部が所定のピッチで配設された平型回路部材を電気的に接続するコネクタであって、平型回路部材を少なくとも部分的に収容せしめるように上方へ開口する収容部を備えたハウジングを有し、そのハウジングには弾性接触片とその弾性接触片に対して上方に位置する支持片とこの二片の基端を一体に繋げる基端部とを備えた複数の（好適には、バネ用銅合金などの導電性弾性部材から成形される）接触子が収容部の左右方向に分かれて二片の先端側を互いに向き合わせるような（対向する）向きでかつ前記所定のピッチに対応するピッチで配列され、ハウジングにおける接触子の左右の配列部位は収容部で一体的に連結されており、さらに支持片の先端側と弾性接触片の先端側との間に介入し得る介入部を備えた加圧部材を接触子のそれぞれの配列群に対応して一対有し、前記収容状態において、弾性接触片の先端側の上方に導体露出部が位置付けられており、前記収容状態でかつ前記介入した状態において、介入部が支持片の先端側により付勢されるとともに平型回路部材の側部が介入部と弾性接触片の先端側との間で挟持されるようにしている。
【００１２】
このように、基端部を連結部位として支持片と一体に（略Ｕ字状となるように）繋がる弾性接触片の先端側の上方に導体露出部が位置付けされるように収容された平型回路部材と支持片の先端側との間（隙間）に、（実質的にはその隙間を押し広げるよう）介入部を介入させて平型回路部材の側部を挟持せしめる構成は、弾性接触片の先端側と導体露出部との当接部の接触圧力を（例えば介入部の肉厚を任意に設定するなどして）任意に設定可能とさせるものであり、（個々の接触子が反力および付勢力を発生させる支点を自有するため）当接部の接触圧力は接触子の数とは相関するものでなく、その数が大きくなっても個々の当接部の接触圧力が低下するような影響のないものであることは明らかである。
【００１３】
また、複数の接触子を左右に（好適には、左右均等で一列ずつに）分けて配列する構成は、一列のみを配列する構成と比べ、（配列ピッチを同じとした場合）配列方向の接触子配置数を（配列長手方向の配列長さを一定にした場合、二列に振り分けできるため）倍増させることが可能であり、さらに、収容部の左右方向で対向して配列される接触子に介入する一対の加圧部材の介入方向は、必然的に左右それぞれ相反する方向となるが、この構成は、介入操作を行う際、（例えば、介入部に延長する操作部を備えた場合、収容部上に左右の操作部を隣接させて位置付けることが可能であり）その操作を（例えば、左右の操作部を手や工具で同時に押し込むなどの手法が使え）容易にするものである。また、ハウジングにおける接触子の左右の配列部位は収容部で一体的に連結されているため、加圧部材の介入時に左右方向に作用する負荷に対してその配列状態を維持することができ、接触子と導体露出部との接続を安定化できる。
【００１４】
請求項２によれば、弾性接触片の先端側は、上方に突出する（好適には、上方に曲面が形成された）突状の接触部を備え、加圧部材は、介入部より延長する板状の操作部を備えるとともにその操作部が前記収容部の底面に接近した所定位置とその所定位置から離反した開放位置との間を移動（好適には、回動）せしめるよう（好適には、支持片の先端側において回動自在に支持されるとともに）ハウジングに保持されており、さらに介入部は、操作部が所定位置に向け移動する過程で収容状態にある平型回路部材の側部を接触部に対して押圧せしめる加圧部を備え、その加圧部には操作部が前記所定位置にある状態で下方を突出方向とする突状部が形成され、その下縁は操作部が前記所定位置にあるとき接触部から基端部方向に離れて位置しているとともに接触部の上縁より下位に位置せしめるようにしている。
【００１５】
よって、延長する操作部は、移動操作を（梃子の原理により）容易にさせるものであるとともに、所定位置では操作部の（板状部位の）下面が（収容部の底面に接近せしめる構成であるため）収容される平型回路部材の上面を（過度に浮かないように）押し当てせしめるものであることが判る。また、操作部が所定位置にあるときに突状部の下縁が接触部から基端部方向に離れて位置しかつその突状部の下縁が接触部の上縁よりも下位に位置せしめる構成は、操作部が開放位置から所定位置に向かい移動する過程の途上で、加圧部が側部上面を押圧し始めながら（基端側方向における下方に向かって側部を巻き込むように）その上面を摺動することを可能としており、この過程で、側部が加圧部の押圧力に屈するような柔軟性を有している場合、接触部の上方にある側部は、突状の接触部の上縁に倣って（上縁を覆うように）矯正させられるものである。そして、（操作部が所定位置に至った）移動終了時点で、突状部が矯正された側部の外曲面を乗り越えた状態を実現せしめ、さらに、（接触部からの反力が作用し）その状態を維持することも可能となる。そして、この状態における接触部と側部下面（導体露出部配設箇所）との当接部において、点接触より広い接触面積で当接させられることが判る。
【００１６】
請求項３によれば、収容部には、上方より収容される前記平型回路部材の水平方向の移動を規制する係止部が形成されており、これを弾性接触片の先端側の上方に導体露出部を位置付ける際の位置決め手段としている。
【００１７】
また、請求項４に記載の平型回路部材は、請求項１〜３のいずれかに記載の平型回路部材用コネクタに接続される平型回路部材であって、左右両側部に導体露出部が所定のピッチで配設され、左右両側部の間を繋ぐ中間部位にその両側部と比較して剛性の高い領域が形成されていることにより、操作部が所定位置に至り側部が介入部と弾性接触片の先端側との間で挟持される過程で発生し得る中間部位の反り（撓み）を軽減させるともに、弾性接触片の先端側の上方に導体露出部を位置付ける際、その高剛性領域をハウジングとの位置決め手段としての（強度的に優れた）係合部位として利用できる。そして、上述の高剛性領域は、（中間部位に配線されている）配線パターンを保護するためのカバー材や、挿入時などにおける操作性を向上させるための補強板を（接着などの接合手段により）積層させることにより容易に形成できるものである。また、本発明の平型回路部材は、一体的な形態に限定したものではなく、例えば、左側部のみに導体露出部が配設された形態（右側部は何も無い形態）の平型回路部材と、右側部のみに導体露出部が配設された形態（左側部は何も無い形態）の平型回路部材とを重ね合わせ、その重ね合わせ部分を（好適には、接着などの接合を施して）実質的に上述の高剛性領域とする形態のものでも適用することができる。
【００１８】
また、請求項５に記載の平型回路部材は、請求項１〜３のいずれかに記載の平型回路部材用コネクタに接続される平型回路部材であって、片面側に導体露出部を含む第一の回路層が形成され、その背面側に第二の回路層が形成されており、その第二の回路層が選択的に導体露出部と（好適には、回路層間をスルーホールで電気的に繋いで）導通していることにより、例えば、第二の回路層を（例えば、第一の回路層の特性インピーダンスを整合させるなどの目的のため）接地回路と設定した場合、第二の回路層は、これと導通する導体露出部と（その導体露出部と当接する）接触子とを経路として、（平型回路部材用コネクタが）搭載される回路基板の接地回路と容易に接地接続ができ、電気的特性を高めることができる。
【発明の効果】
【００１９】
上述したように、第1発明の平型回路部材用コネクタは、多極であっても接続信頼性を維持しつつ小型化を実現でき、接続操作性も良いものであり、また、第2発明の平型回路部材は、第1発明の平型回路部材用コネクタとの接続において、機械的および電気的に接続特性を向上させられるものである。
【発明を実施するための最良の形態】
【００２０】
以下、添付図面の図１から図７に基づき本発明の実施の形態を説明する。図１は、第１発明の平型回路部材用コネクタ（以下ＦＰＣ用コネクタと称す。）の実施例と第２発明の平型回路部材（ＦＰＣ）の実施例とを示しており、図２は、その平型回路部材（ＦＰＣ）を片面（導体露出部配設面）側から見た平面図である。
【００２１】
図1に示すように、絶縁樹脂で成形されたハウジング１０は、上方（図１の上方向）に開口する略箱型の収容部１１を備え、その左側（図１における斜め左上方向）には、長手方向（図１における斜め左下と斜め右上とにわたる方向）に接触子２を配列する第一の接触子配列部１３を、収容部１１の右側（図１における斜め右下方向）には、第一の接触子配列部１３と対照的な配置で同じく長手方向に接触子２を配列する第二の接触子配列部１４を備えている。また、第一の接触子配列部１３と第二の接触子配列部１４には、板状の操作部３２を備えた一対の加圧部材３がそれぞれ長手方向の両端側に突出する軸部３６を保持部１５に係合させて組み込まれている。
【００２２】
図１および図２において、長手方向（図１における斜め左下と斜め右上とにわたる方向、図２における上下方向）に延長する薄板状のＦＰＣ４は、板状の接続部分４０とこれより（他の離れた接続手段に接続せしめるように）延長する延長部分５０とで基本構成されており、接続部分４０の左右（図２における左右）それぞれの側縁に沿う側部４１における片面側４３には左右対照的な配置で（好適には、導体箔に耐食メッキを施した）導体露出部４２が配設され、その配設ピッチは（図１に示す）接触子２の配列ピッチに対応している。また、片面側４３において、左右両側部４１の間を繋ぐ中間部位４７には（好適には、ポリイミドフィルムなどの絶縁性に優れた板材の）カバー材４８が接着されており、さらに、背面側４４において、中間部位４７には（好適には、樹脂板や金属板などの剛性を有した材質の）補強板４９が接着されており、これら部材の積層により形成された肉厚の領域は、両側部４１と比較して剛性の高い（撓み難い）領域となっている。これに対し、側部４１は、（好適には、導体露出部４２を含め数十マイクロメートル程度の薄さで）柔軟性のある部位となっている。また、この領域内において四方に形成されている角部５１は、（図１に示す）ハウジング１０に設けられた係止部１６と係合せしめるものであり、収容部１１に（延長部分５０を除いて）部分的に収容されるＦＰＣ４の位置決めを（剛性の高い部分での堅牢な係合となり）確実なものとしている。なお、本実施例では、延長部分５０を長手方向の一方（図２における上方向）側のみに配置した形態としているが、本発明の平型回路部材は、この形態に限定したものではなく、延長部分を長手方向の他方（図２における下方向）側にも配置させた形態でも良く、このような形態とすれば、他の離れた接続手段への接続数を倍増させることが可能となる。
【００２３】
図３から図５は、図１に示したＦＰＣ用コネクタ１にＦＰＣ４が収容された状態を示した（第一の接触子配列部１３側の接触子配列部分の）部分断面図であり、図３は操作部３２が開放位置にある状態、図４は操作部３２が開放位置から所定位置の間にある状態、図５は操作部３２が所定位置にある状態を示している。以下においては、第一の接触子配列部１３側の構成を例にして説明するが第二の接触子配列部１４側の構造はこれと左右対称の関係となる。
【００２４】
第一の接触子配列部１３には複数の接触子２が長手方向に整列して取り付けられている。この取付状態を図３に示しており、第一の接触子配列部１３に左右方向に延びて形成された保持穴１７に支持片２２が圧入されて各接触子２がハウジング１０に保持されている。接触子２は支持片２２の下方（図３における下方）に位置する弾性接触片２１を備え、その弾性接触片２１の先端側２４は突状の接触部２６を収容部１１内に突出しており、接触部２６に対し上方（図３における上方）から圧力が加わったとき先端側２４が下方に撓む方向で弾性接触片２１が弾性変位するよう設定されている。また、基端部２３から下方に延出するテール部２９は回路基板（図示せず）に半田付けするための接続手段である。そして、加圧部材３は、操作部３２が収容部１１の底面１２に接近した所定位置とその所定位置から上方に離反した開放位置との間を回動せしめるよう、支持片２２の先端側２５の略円形の回動支持部２８により回動自在に支持されており、その回動支持部２８と係合する回動溝部３７の内面は（回動時に回動支持部２８から容易に外れないように）円弧状となっている。そして、第一の接触子配列部１３に複数の接触子２が配列された状態では、回動支持部２８は櫛歯状に配列されて軸状をなし、実質的に加圧部材３の回動軸の機能を有するものである。なお、回動支持部２８と回動溝部３７の係合形態は、この形態に限らず、凹凸関係を逆にしても良いものである。
【００２５】
また、ＦＰＣ４は、接続部分４０が上方（図３における上方）より収容部１１に（突状部３４との競り合いを避けて、やや斜めに傾けながら挿入されて）収容されており、この状態で、側部４１の導体露出部４２が接触部２６の上方に位置するよう（図１で示した角部５１と係止部１６との係合により）位置付けられており、この位置関係は（図示しないが）第二の接触子配列部１４側においても同様であるように設定されている。なお、この収容過程において、接続部分４０が水平の状態で挿入される場合、側部４１が突状部３４と競り合うことが有り得るが、側部４１の有する柔軟性を（材質や厚みを変えるなど）調整することにより、その競り合い度合いを軽減させることは容易である。このように上方からＦＰＣ４を単純に（落とし込むように）挿入し、そのまま接続可能な位置付けがなされる形態は、公知例Ａのごとくの（横方向から奥まで挿入する方式の）従来例では困難であった自動挿入を（背面側４４を吸着して）可能とするものであり、上方からの挿入状態の目視もできるため、位置決め状態の確認作業を容易とするものでもあるといえる。
【００２６】
図４は、操作部３２が所定位置に向け（図４における時計回りに）回動（移動）する過程において加圧部３３が側部４１の上面に当接し始めた時点の状態を示している。このとき、その当接箇所において（回動支持部２８に回動溝部３７が係合支持されているため加圧部３３は殆ど浮かずに）側部４１に対し加圧部３３の押圧力（厳密には下方向への分力）が作用し始めている。この押圧力に対する反力は、その当接箇所の下方に位置する接触部２６を支える弾性接触片２１により作用するものであり、この状態からさらに回動が進むにつれ、加圧部３３は基端部２３の方向に向かいつつ下方にも向かう円軌道で（操作部３２と同じく回動軸を回動支持部２８として）回動して行く。そして、その軌道における下方への変位量に対して、側部４１が（屈曲が少なく）ほぼ水平状態にある間は、接触部２６がほぼその変位量分押し下げられ、その変位に対する弾性接触片２１の反発力が当接箇所に作用することになる。言い換えれば、この作用は、介入部３１が支持片２２の先端側２５と弾性接触片２１の先端側２４との間に介入して行くと、介入部３１が支持片２２の先端側２５により付勢され、側部４１が介入部３１と弾性接触片２１の先端側２４との間で挟持されて行く構成であることから実現されている。
【００２７】
図５において、操作部３２は、操作部３２が収容部１１の底面１２に接近した所定位置にある状態であり、この状態で下方に突出している形態の突状部３４の下縁３５は、接触部２６から基端部２３方向に離れて位置しており、接触部２６は、下方に変位しているものの弾性接触片２１の設定弾性力により所定の変位に留まり、その上縁２７は突状部３４の下縁３５より上位に位置している。そして、側部４１は、加圧部３３が側部４１の上面を押圧しながら基端部２３方向に摺動する過程で、その押圧力に屈して（突状の接触部２６の上縁２７に倣って）下方に矯正させられている。この状態は、突状部３４が矯正された側部４１の外曲面を乗り越えている（すなわち、突状部３４が回動支持部２８と接触部２６とを結ぶ軸線を越えている）ことから、介入部３１が介入前の方向に戻り難い（加圧部材３には時計回りのモーメントが働いて容易に開かない）状態であるといえる。そして、この状態における（加圧部３３の押圧力が作用する）導体露出部４２と（弾性接触片２１の反発力が作用する）接触部２６との当接部３０においては、点接触より広い（良好な電気接続状態を維持するのに適当な）接触面積となる接触曲面が形成されている。
【００２８】
なお、このような状態や作用は、第二の接触子配列部１４側においても同様に実現せしめることは当然である。また、この実施例では、接触子２を配列する第一の接触子配列部１３と第二の接触子配列部１４とを収容部１１も含め一体に成形している形態としたが、本発明はこれに限定したものでなく、第一の接触子配列部１３と第二の接触子配列部１４とを別体に成形し、その後（例えば、実施例における収容部付近で超音波融着など方法を用いて）接合して一体化させたものでも利用することができる。また、収容される平型回路部材をＦＰＣを例にして説明したが、両側部に導体露出部を有する（極薄ＩＣチップを内蔵した多層配線板などの）薄型部材の接続においても適用できる。
【００２９】
図６および図７は、第２発明の平型回路部材（ＦＰＣ）の第２の実施例および第３の実施例を示している。図６（ａ）は、片面側の第一の回路層を示しており、図６（ｂ）は、背面側の第二の回路層を示しており、（ａ）（ｂ）ともに、回路を明示するため図７に示すカバー材４８は除いて図示している。また、図７は、図６におけるＸ−Ｘ断面図（スルーホール配設部おける断面）である。
【００３０】
図６（ａ）において、第一の回路層４５は、両側部４１に配設された導体露出部４２と、そのそれぞれから延長部分５０へと繋がる配線パターン５３とで基本構成されており、端側（図６における下方側）の導体露出部は、パターン幅が幅広の導体パターン５２に形態を変えている。この幅広の導体パターン５２のパターン幅は、隣接配置された（図１に示した）接触子２のその２端子分が当接せしめる寸法に設定しており、ここに繋がる配線回路も幅広にし、この部分の導体抵抗を比較的に低いものとしている。図６（ｂ）において、第二の回路層４６は、ほぼ全面にわたる（一般的にベタパターンと呼称される）広面パターン５４で構成されている。そして、図７に示されるように、幅広の導体パターン５２と広面パターン５４とは、（層間を貫通する穴の内側に導体が形成された）スルーホール５５にて繋がれており、電気的に導通している。
【００３１】
このような構成において、例えば、回路基板（図示せず）の接地回路を幅広の導体パターン５２に対応する接触子２に配線すれば、（幅広であるため通電容量を高められる）導体パターン５２と導通する広面パターン５４も接地機能を有することになり、（特性インピーダンスの制御が容易に成るなどの）伝送特性の良い接続形態が容易に実現できる。なお、本実施例では、第二の回路層４６との導通相手として、端側の配置の導体パターン５２を選択したが、他の配置のものを選択しても良い。また、広面パターン５４とカバー材４８が存在する多層の中間部位４７が、前述の剛性の高い領域であることは明白である。
【図面の簡単な説明】
【００３２】
【図１】本発明の第１発明の平型回路部材用コネクタの実施例と第２発明の平型回路部材（ＦＰＣ）の実施例を示した斜視図
【図２】図１で示した平型回路部材（ＦＰＣ）の平面図
【図３】図１で示した平型回路部材用コネクタに図１で示した平型回路部材（ＦＰＣ）が収容された状態を示した部分断面図（操作部が開放位置にある状態）
【図４】図１で示した平型回路部材用コネクタに図１で示した平型回路部材（ＦＰＣ）が収容された状態を示した部分断面図（操作部が開放位置と所定位置の間にある状態）
【図５】図１で示した平型回路部材用コネクタに図１で示した平型回路部材（ＦＰＣ）が収容された状態を示した部分断面図（操作部が所定位置にある状態）
【図６】本発明の第２発明の平型回路部材（ＦＰＣ）の第２の実施例を示した平面図
【図７】図６で示した平型回路部材（ＦＰＣ）の断面図
【符号の説明】
【００３３】
２        接触子
３        加圧部材
４        平型回路部材（ＦＰＣ）
１０        ハウジング
１１        収容部
１６        係止部
１２        底面
２１        弾性接触片
２２        支持片  
２３        基端部
２４        弾性接触片の先端側
２５        支持片の先端側
２６        接触部  
２７        上縁
３１        介入部      
３２        操作部
３３        加圧部
３４        突状部  
３５        下縁  
４１        側部
４２        導体露出部
４３        片面側
４４        背面側
４５        第一の回路層
４６        第二の回路層
【図１】
2009193807.tif 000003
【図２】
2009193807.tif 000004
【図３】
2009193807.tif 000005
【図４】
2009193807.tif 000006
【図５】
2009193807.tif 000007
【図６】
2009193807.tif 000008
【図７】
2009193807.tif 000009